(57)【要約】  サイクリストのための折り畳み式ヘルメットであって、折り畳み式ヘルメット（１）は、使用者の頭頂部の前面から後面にわたって延在するように構成された、少なくとも１つの細長い湾曲した中央部分（２）と、少なくとも１つの中央部分の両側に支持される複数の側方部分（３）であって、折り畳み位置のときには少なくとも１つの中央部分の下方に実質的に入れ子になるように構成され、かつ、使用位置のときにはヘルメットを形成するように構成された複数の側方部分（３）と、複数の側方部分と少なくとも１つの中央部分を相互接続する少なくとも１つの可撓性ストラップ（４）であって、使用位置のときに複数の側方部分の相対的な分離を制限する、少なくとも１つの可撓性ストラップ（４）と、を備える。【選択図】図１
2018508666.tif 000002
【特許請求の範囲】
【請求項１】
サイクリストのための折り畳み式ヘルメットであって、
−  使用者の頭頂部の前面から後面にわたって延在するように構成された、少なくとも１つの細長い湾曲した中央部分と、
−  前記少なくとも１つの中央部分の両側に支持される複数の側方部分であって、折り畳み位置のときには前記少なくとも１つの中央部分の下方に実質的に入れ子になるように構成され、かつ、使用位置のときにはヘルメットを形成するように構成された、複数の側方部分と、
−  前記複数の側方部分と前記少なくとも１つの中央部分を相互接続する少なくとも１つの可撓性ストラップであって、前記使用位置のときに前記複数の側方部分が相対的に分離するのを制限する、少なくとも１つの可撓性ストラップと、
を備える、折り畳み式ヘルメット。
【請求項２】
前記少なくとも１つの中央部分の両側に支持される前記複数の側方部分が、前記少なくとも１つの中央部分の両側に位置する１対の細長い湾曲した側方部分を含む、請求項１に記載の折り畳み式ヘルメット。
【請求項３】
前記少なくとも１つの中央部分が、２つの中央部分を含む、請求項１または２に記載の折り畳み式ヘルメット。
【請求項４】
前記少なくとも１つの可撓性ストラップが、非弾性材料を含む、請求項１から３のいずれか一項に記載の折り畳み式ヘルメット。
【請求項５】
前記少なくとも１つの中央部分および／または複数の側方部分が、衝撃吸収材料を含む、請求項１から４のいずれか一項に記載の折り畳み式ヘルメット。
【請求項６】
前記衝撃吸収材料が、ポリウレタン、ポリエチレン、ポリスチレン、発泡フォーム、ゴム、シリコーン・ゲルのうちのいずれか１つの材料を含む、請求項５に記載の折り畳み式ヘルメット。
【請求項７】
前記少なくとも１つの中央部分、および前記複数の側方部分が、射出成形によって形成されたプラスチック材料を含む、請求項１から６のいずれか一項に記載の折り畳み式ヘルメット。
【請求項８】
顎ひもを備える、請求項１から７のいずれか一項に記載の折り畳み式ヘルメット。
【請求項９】
前記少なくとも１つの可撓性ストラップが、前記顎ひもを組み込むように構成される、請求項８に記載の折り畳み式ヘルメット。
【請求項１０】
前記可撓性ストラップが、前記少なくとも１つの中央部分および複数の側方部分に縫合される、請求項１から９のいずれか一項に記載の折り畳み式ヘルメット。
【請求項１１】
前記可撓性ストラップが、前記少なくとも１つの中央部分および複数の側方部分に接着される、請求項１から９のいずれか一項に記載の折り畳み式ヘルメット。
【請求項１２】
前記可撓性ストラップが、射出成形プロセス中に前記少なくとも１つの中央部分および複数の側方部分内に接着される、請求項１１に記載の折り畳み式ヘルメット。
【請求項１３】
前記中央部分および複数の側方部分が、ポリエチレン、ポリスチレン、例えば発泡ポリスチレン、発泡ポリプロピレン、および発泡ポリウレタンなどの押しつぶせる発泡体、ゴム、およびシリコーン・ゲルのうちの少なくとも１つの材料から作製される、請求項１から１２のいずれか一項に記載の折り畳み式ヘルメット。
【請求項１４】
前記少なくとも１つの可撓性ストラップが、ポリプロピレン製帯ひも、ナイロン、ポリエステル、コード、織物ストラップ、複合材ストラップ、および紙のうちの少なくとも１つの材料から作製される、請求項１から１３のいずれか一項に記載の折り畳み式ヘルメット。
【請求項１５】
前記少なくとも１つの可撓性ストラップが、接着結合、インモールド成形、面ファスナによる締結、溶接、縫合、機械的締結具による機械的締結のうちの少なくとも１つの手段により、前記中央部分および複数の側方部分に固着される、請求項１から１４のいずれか一項に記載の折り畳み式ヘルメット。
【請求項１６】
使用時に、前記複数の側方部分が、前記少なくとも１つの中央部分の容積内に実質的に収容される折り畳み位置と、前記ヘルメットの側部を形成する使用位置との間で移動可能である、請求項１から１５のいずれか一項に記載の折り畳み式ヘルメット。
【請求項１７】
実質的に添付の図面を参照して本明細書に記載された、折り畳み式ヘルメット。
【発明の詳細な説明】
【技術分野】
【０００１】
本発明は一般に、折り畳み式ヘルメットの分野に関し、詳細には、サイクリスト向けの折り畳み式ヘルメットに関する。
【背景技術】
【０００２】
一部の国では、道路、舗装路、および他の公共区域でサイクリングするときには自転車用ヘルメットを着用することが、法的要件とされている。それらの国の一部では、そのような法は児童にのみ適用されるが、他の国では、成人にも適用される。自転車用ヘルメットは、サイクリストが事故に遭ったときに頭部の衝撃を弱めるように設計されて、頭部を負傷から保護する。
【０００３】
しかし、ヘルメットの着用が法的要件ではない場合、そのような嵩張る物品を持って行かなければならないことの不便さは、サイクリストをヘルメットの着用から遠ざける傾向がある。サイクリストは、目的地に到着したときに、自転車とともにヘルメットを安全に格納することが必要になるか、または、ヘルメットを持ち運ぶのに必要な手段がサイクリストに与えられることが必要になる。最大限の衝撃保護を確保すると同時に十分な頭部の通気および空気力学を可能にするための適切な材料および技法を自転車用ヘルメットが組み込む場合、そのような自転車用ヘルメットは、安価な製品にはならない。したがって、そのような自転車用ヘルメットは、盗まれる危険を冒すという点で、自転車に残されることはありそうもない。
【０００４】
この１０年間にわたって、都心および他の都市部は、一般人が都市中の複数の乗り場から自転車を借りることができるサイクリング計画を導入し始めてきた。そのような計画のほとんどは、自転車用ヘルメットを含まず、したがって、使用者は、自分自身のヘルメットを用意する責任がある。ヘルメットを持ち運ぶことの不便さのために、使用者がヘルメットを着用せずに自転車に乗って、事故に遭ったときに負傷する危険を冒すことが、やはり起こり得る。使用者に十分な衝撃保護を提供する自転車用ヘルメットは、そのような状況で自転車用ヘルメットを利用できるようにする程度に安価には製造されない。
【０００５】
典型的な自転車用ヘルメットは、優れた衝撃保護のための硬いシェルを備える。典型的な自転車用ヘルメットは、それらのサイズ、およびそれらの構造の性質のために、典型的な書類鞄またはハンドバッグの中には収まらず、したがって、そのような物品を支援するための追加的な鞄類を使用者が持ち運ぶことを必要とする。
【０００６】
市販の折り畳み式ヘルメット、特にサイクリストのための折り畳み式ヘルメットに対して、多くの試みがなされてきた。それらの折り畳み式ヘルメットは、ヘルメットのサイズを減少させること、したがって使用していないときにそのようなヘルメットを保管するのに必要とされる空間を減少させることにいくらか助けになるが、それらが持ち運ばれて使用されることを確実とするのに十分には全体的な寸法を減少させることがないように思われ、また、見た目に美しくない。そのような折り畳み式ヘルメットはまた、標準的なヘルメットを購入するよりもはるかに高額であることが判明しがちであり、また、場合によっては、ある程度の折り畳み性（ｃｏｌｌａｐｓｉｂｉｌｉｔｙ）を可能にするために、衝撃保護に関して妥協する。
【０００７】
従来技術は、様々な方法で要求に応えようと試みる、複数のデバイスを示す。
【０００８】
特許文献１（Ｆａｌｌｏｎら）は、安全ヘルメットであって、着用者の頭頂部にわたって延在する実質的に硬質の湾曲した上部パネルと、着用者の頭部のそれぞれの側面の周りに延在する１対の細長い側方パネルとを備え、各側方パネルが、その２つの端部において上部パネルの２つの端部に枢動可能に接続される、安全ヘルメットを開示している。側方パネルは、上部パネルによって画定された容積内に実質的に位置するように、内方に枢動可能であるように構成される。２つの側方パネル、およびそれらの側方パネルをそれらの格納位置へ移動させるヒンジ式のまたは枢動可能な手段を提供することにより、格納位置にあるときのサイクリング・ヘルメットによって占められる全体的な体積を減少させるのにいくらか助けになるが、そのような格納位置における全体的な体積は、依然としてかなりのサイズである。
【０００９】
特許文献２（Ｎｅｏｐｉｔｏｕ）は、格納目的のために使用者がヘルメットを平坦な箱の形状に縮小させることを可能にする、柔軟な材料から作られたヘルメットを開示している。全体的な体積または格納されたヘルメットを大幅に縮小することを可能にするが、そのようなヘルメットによってもたらされる衝撃保護は、妥協される。
【先行技術文献】
【特許文献】
【００１０】
【特許文献１】米国特許第６４４２７６５号
【特許文献２】英国特許出願公開第２４８２８６６号
【発明の概要】
【発明が解決しようとする課題】
【００１１】
本発明の好ましい実施形態は、着用者の頭部を十分に衝撃から保護する一方で格納位置にあるときには保管し易くするのに適切な体積に折り畳まる、サイクリスト向けの折り畳み式ヘルメットを提供することを目的とする。
【課題を解決するための手段】
【００１２】
本発明の１つの態様によれば、サイクリストのための折り畳み式ヘルメットであって、
−  使用者の頭頂部の前面から後面にわたって延在するように構成された、少なくとも１つの細長い湾曲した中央部分と、
−  少なくとも１つの中央部分の両側に支持される複数の側方部分であって、折り畳み位置にあるときには少なくとも１つの中央部分の下方に実質的に入れ子になるように構成され、かつ、使用位置にあるときにはヘルメットを形成するように構成された、複数の側方部分と、
−  複数の側方部分と少なくとも１つの中央部分を相互接続する少なくとも１つの可撓性ストラップであって、使用位置のときに複数の側方部分が相対的に分離するのを制限する、少なくとも１つの可撓性ストラップと、
を備える、折り畳み式ヘルメットが提供される。
【００１３】
少なくとも１つの中央部分の両側に支持される複数の側方部分は、少なくとも１つの中央部分の両側に位置する１対の細長い湾曲した側方部分を含むことが好ましい。
【００１４】
少なくとも１つの中央部分は、２つの平行な中央部分を含んでもよい。
【００１５】
可撓性ストラップは、非弾性材料を含むことが好ましい。
【００１６】
少なくとも１つの中央部分および／または複数の側方部分は、衝撃吸収材料を含むことが好ましい。
【００１７】
衝撃吸収材料は、以下の材料、すなわち、ポリウレタン、ポリエチレン、ポリスチレン、ゴム、シリコーン・ゲルのうちのいずれか１つを含んでもよい。
【００１８】
少なくとも１つの中央部分、および複数の側方部分は、射出成形によって形成されたプラスチック材料を含んでもよい。
【００１９】
折り畳み式ヘルメットは、顎ひもを備えてもよい。
【００２０】
少なくとも１つの可撓性ストラップは、顎ひもを組み込むように構成されることが好ましい。
【００２１】
可撓性ストラップは、少なくとも１つの中央部分および複数の側方部分に縫合されてもよい。
【００２２】
あるいは、可撓性ストラップは、少なくとも１つの中央部分および複数の側方部分に接着されてもよい。
【００２３】
可撓性ストラップは、射出成形プロセス中に少なくとも１つの中央部分および複数の側方部分内に接着されてもよい。
【００２４】
使用時に、複数の側方部分が、少なくとも１つの中央部分の容積内に実質的に収容される折り畳み位置と、ヘルメットの側部を形成する使用位置との間で移動可能である、先行する請求項のいずれか一項に記載の折り畳み式ヘルメットである。
【００２５】
次に、本発明のより良好な理解のため、また、本発明の実施形態がどのようにして実行に移され得るかを示すために、例として添付の概略的な図面を参照する。
【図面の簡単な説明】
【００２６】
【図１】使用位置における折り畳み式ヘルメットの１つの実施形態の等角図である。
【図２】複数の可撓性ストラップが中央部分および側方部分を相互接続している、図１の折り畳み式ヘルメットの正面図である。
【図３】図１の折り畳み式ヘルメットの片側からの図である。
【図４】使用位置における図１の折り畳み式ヘルメットの平面図である。
【図５】側方部分が中央部分の下に入れ子になっている格納位置における、図１の折り畳み式ヘルメットの等角図である。
【図６】図５の折り畳み式ヘルメットの平面図である。
【図７】図６の折り畳み式ヘルメットの下面図である。
【図８】相互接続する可撓性ストラップを含まず、１対の中央部分を含んで示された、折り畳み式ヘルメットのさらなる実施形態の等角図である。
【図９】格納位置における図８の折り畳み式ヘルメットの図である。
【図１０】中央部分の対によって作り出される容積のさらなる減少を示す、図８の折り畳み式ヘルメットの平面図である。
【図１１】格納位置にあるときの図８の折り畳み式ヘルメットの平面図である。
【図１２】格納位置にあるときの図８の折り畳み式ヘルメットの下面図である。
【発明を実施するための形態】
【００２７】
各図において、同様の参照番号は、同様のまたは相当する部品を示す。
【００２８】
図１に示されるように、折り畳み式ヘルメット１は、着用者の頭頂部を前面から後面まで保護するように構成された、中央部分２を備える。折り畳み式ヘルメット１はまた、使用位置にあるときに折り畳み式ヘルメット１またはシェル構造を作り出す、複数の側方部分３を備える。各側方部分３は同一のものであるが、中央部分２の各側において鏡映しにされている。中央部分２および側方部分３は、着用者の頭部を覆いかつ衝撃の吸収を支援して負傷を防ぐための外骨格シェルを、一緒に構成する。使用位置にあるときの側方部分３と中央部分２との間の間隙は、着用者の頭部に十分な通気を提供するのに役立つ。
【００２９】
図１に示されるように中央部分２に隣接する側方部分３は、頭頂部の後面から前面に及ぶ細長い湾曲した側方部分３を含む。これらの側方部分３は、折り畳み位置にあるときにそれらが完全に中央部分２の下に入れ子になるように、適切なサイズおよび形状のものであるように構成される。側方部分３は、中央部分２によって作り出された容積内に都合良く移動され得る。中央部分２の両側に位置しかつ第１の側方部分３の対に隣接する、さらなる側方部分３の対が、着用者の側頭部を保護するように構成される。これらの側方部分３も同様に、使用位置から、隣接する側方部分３の下に実質的に入れ子になるように移動され得る。
【００３０】
折り畳み式ヘルメット１は、図には示されていないさらなる側方部分３を備えてもよく、それにより、中央部分２の両側において、側方部分３は全て、中央部分２によって作り出された容積内に入れ子になるように構成される。
【００３１】
折り畳み式ヘルメット１は、側方部分３および中央部分２を相互接続する、複数の可撓性ストラップ４を備える。これらの可撓性ストラップ４は、側方部分３が中央部分２の下に入れ子になるように移動されるのを可能にするのに十分に柔軟であると同時に、ヘルメットとしての使用時に使用位置を越える側方部分３の相対運動に抵抗するように構成されている。これらの可撓性ストラップ４は、側方部分３の塊を通して連結されてもよく、または、側方部分３の内側または外側の表面に固着されてもよい。可撓性ストラップ４は、伸びないが帯ひもまたは類似のストラッピング材料そっくりに容易に折り畳まれ得るという点で柔軟な、非弾性材料を含み得る。
【００３２】
折り畳み式ヘルメット１は、折り畳み式ヘルメット１を着用者の頭部上に支持するために、顎ひも５を組み込んでもよい。顎ひも５は、可撓性ストラップ４の一部として形成されてもよく、または、側方部分３または中央部分２に固着される別体のストラップを含んでもよい。顎ひも５は、様々なサイズの頭部に対応するために、締結手段および調節手段を含んでもよい。
【００３３】
図２は、図１の折り畳み式ヘルメット１を正面図で示し、側方部分３が中央部分２の下に入れ子になることを可能にする、中央部分２および側方部分３の輪郭が示されている。折り畳み式ヘルメット１のこの実施形態では、側方部分３および中央部分２は、４本の可撓性ストラップ４によって接合される。これらの可撓性ストラップ４は、恒久的な接着剤、鋲、または類似の締結手段を介して、中央部分２および側方部分３に恒久的に固着される。可撓性ストラップ４は、あるいは、中央部分２および側方部分３が射出成形される製造プロセス中に中央部分２および側方部分３に接着されてもよく、可撓性ストラップ４は、このプロセス中に型内に配置される。可撓性ストラップ４は、接着結合、インモールド成形、面ファスナによる締結、溶接、縫合、機械的締結具による機械的締結を含むがこれらに限定されない複数の異なる手段により、側方部分３および中央部分２のそれぞれに固着されてもよい。
【００３４】
図３は、側方部分３がどのようにして中央部分２の下に入れ子になるかを明らかにするために、折り畳み式ヘルメット１を側面図で示す。折り畳み位置にある場合、折り畳み式ヘルメット１は、側方部分３が中央部分２の下に入れ子になることにより、この中央部分２の幅と同じ幅になるように幅が狭められる。したがって、折り畳み式ヘルメット１は、折り畳み位置にあるときには平坦な構造を形成し、使用されていないときに折り畳み式ヘルメット１がより容易に保管および運搬されることが可能になる。折り畳み式ヘルメット１は、典型的には、使用者の書類鞄、ハンドバッグ、または他の鞄類の中に、スペースを無駄にすることなく収まる。
【００３５】
図４は、折り畳み式ヘルメット１を平面図で示し、可撓性ストラップ４が側方部分３および中央部分２を相互接続する方法の１つの実施形態が示されている。側方部分３および中央部分２は、空気力学的な目的、快適さ、および折り畳み機能性のために、丸みを帯びた縁部を備える。
【００３６】
図５は、格納位置または折り畳み位置にある折り畳み式ヘルメット１を示し、側方部分３が中央部分２の下に実質的に入れ子になっていることが示されている。側方部分３は、それらの対において、中央部分２の下に並んで入れ子になる。図６は、側方部分３が中央部分２の下に実質的に入れ子になっている、折り畳み位置における折り畳み式ヘルメット１の平面図を示す。図７は、図６の下面図を示し、側方部分３がどのようにして互いに並んで互いに入れ子になって、中央部分２の湾曲によって作り出された容積内に完全に収容されるかが示されている。
【００３７】
図８は、折り畳み式ヘルメット１のさらなる実施形態を示し、この実施形態では、中央部分２は、同等であるが向きが反対の２つの中央部分２に分割される。中央部分２を分割することにより、折り畳み式ヘルメット１は、さらに小さく折り畳まって、使用位置にあるときの構造を損なうことなく、折り畳み位置にある折り畳み式ヘルメット１の全幅を減少させる。図８は、中央部分２の対および複数の側方部分３を示すが、可撓性ストラップ４はこの図では示されていない。図９は、折り畳み位置にある図８の折り畳み式ヘルメット１を示し、この折り畳み位置にあるときには、対の中央部分２間の間隙は、最小限である。側方部分３は、中央部分２の下に完全に入れ子になる。
【００３８】
図１０は、使用位置にあるときの中央部分２の対および側方部分２の間隔を平面図で示す。図１１は、二重の中央部分２を含む折り畳み式ヘルメット１の折り畳み位置における平面図を示し、側方部分３は、この折り畳み位置では中央部分２の対によって作り出された容積内に完全に入れ子になっているので、見られ得ない。図１２は、図１１の下面図を示し、側方部分３がどのようにして中央部分２の対の下に入れ子になるかが示されている。
【００３９】
折り畳み式ヘルメット１は、少なくとも１つの中央部分２と複数の側方部分３とで構成されたシェルを備える。中央部分２および側方部分３は、衝撃吸収材料を含むか、または、実質的に硬質の材料の外側層と、緩衝材料の内側層とで構成される。中央部分２および側方部分３は、プラスチック材料を含んでもよく、プラスチック材料は、適切な衝撃吸収材料で囲まれてもよい。中央部分２および側方部分３は、複数の材料を含んでもよいが、衝撃エネルギーを吸収しそれにより折り畳み式ヘルメット１の使用者によって経験され得るいかなる衝撃の水準も低下させるように、衝撃荷重を受けたときに変形する材料を含むことが好ましい。そのような吸収作用は、ポリウレタンなどの材料を用いて可能とされるような、復元可能な変形によるものであることが好ましい。他の適切な材料には、ポリエチレン、ポリスチレン、例えば発泡ポリスチレン、発泡ポリプロピレン、および発泡ポリウレタンなどの押しつぶせる発泡体、ゴム、およびシリコーン・ゲルが含まれるが、これらに限定されない。折り畳み式ヘルメット１が費用効果の高い特定の材料から製造される場合、折り畳み式ヘルメット１を使い捨ての任意付属品または限られた回数着用され得るものとして実現可能にするのにかなりの低費用で製造できることが考えられる。このことは、折り畳み式ヘルメット１を、バイク・パークの現場において機械または他の方法を通じて折り畳み式ヘルメット１が提供され得る、都心部での自転車計画の範囲内での使用に適切なものにする。
【００４０】
折り畳み式ヘルメット１は、図示されていないが、中央部分２の両側に複数の側方部分３を備えてもよい。折り畳み式ヘルメット１は、中央部分２の両側に３つ、４つ、または５つの側方部分３を組み込んでもよく、それらの側方部分３は、少なくとも１つの可撓性ストラップ４によって全てが相互接続され、また、中央部分２によって作り出された容積内に完全に収容されるように、全てが中央部分２の下に入れ子になることができる。
【００４１】
可撓性ストラップ４は、接着、加熱、または縫合により、中央部分２および側方部分３に固着される。可撓性ストラップ４は、さらなる実施形態では、複数の側方部分３および／または少なくとも１つの中央部分２を通って輪形になるように構成され得る。
【００４２】
折り畳み式ヘルメット１は、サイクリストによる使用に適しているが、この目的に限定されるものではなく、建設業用の硬いヘルメット、ロック・クライミング、スノーボード、スキー、スケートボード、およびローラブレードなどの他のスポーツをする試みのためのヘルメット、ならびに参加者の頭部を負傷から保護するためにヘルメットが着用されることが多い他の類似の活動などの、他の目的のための折り畳み式ヘルメット１としても使用され得る。
【符号の説明】
【００４３】
１  折り畳み式ヘルメット
２  中央部分
３  側方部分
４  可撓性ストラップ
５  顎ひも
【図１】
2018508666.tif 000003
【図２】
2018508666.tif 000004
【図３】
2018508666.tif 000005
【図４】
2018508666.tif 000006
【図５】
2018508666.tif 000007
【図６】
2018508666.tif 000008
【図７】
2018508666.tif 000009
【図８】
2018508666.tif 000010
【図９】
2018508666.tif 000011
【図１０】
2018508666.tif 000012
【図１１】
2018508666.tif 000013
【図１２】
2018508666.tif 000014
【国際調査報告】
2018508666.tif 000015
2018508666.tif 000016
2018508666.tif 000017
2018508666.tif 000018